(57)【要約】課題  積層コアの磁気性能を低下させることなく、巻線、組立の作業性を向上できる積層コアの製造方法及びその製造治具を提供することを目的とする。解決手段  ティース部１１ｂおよびこのティース部１１ｂを円弧状の中央部で中心側に突設し、反対側にプッシュバックにより蝶型のスクラップ部１２の一方の羽形部である嵌合凸部１２ａを嵌合したバックヨーク部１１ａとからなるコアシート５０を鋼板から打ち抜き、コアシート５０を複数枚積層し、隣接するスクラップ部１２の表裏面をそれぞれ固定用凹部１２ｄと固定用凸部１２ｅをカシメて固着し、積層したコア部１１の積層間を固着した後、積層したバックヨーク部１１ａから取り外す。選択図        図１
2010082465.tif 000002
【特許請求の範囲】
【請求項１】
ティース部およびこのティース部を円弧状の中央部で中心側に突設し、反対側にプッシュバックにより蝶型のスクラップ部の一方の羽形部を嵌合したバックヨーク部を備えたコアシートを鋼板から打ち抜く工程と、
このコアシートを複数枚積層し、隣接する前記スクラップ部の表裏面をそれぞれ固着する工程と、
前記積層したコアシートの前記ティース部及び前記バックヨーク部の積層間を固着した後、前記積層したスクラップ部を前記積層したバックヨーク部から取り外す工程とを含む積層コアの製造方法。
【請求項２】
積層したスクラップ部は、積層したバックヨーク部の内径方向に移動させた後に、前記積層したバックヨーク部から取り外されることを特徴とする請求項１に記載の積層コアの製造方法。
【請求項３】
積層したコアシートは、ティース部及びバックヨーク部を絶縁樹脂と一体成形することにより積層間を固着することを特徴とする請求項１又は請求項２に記載の積層コアの製造方法。
【請求項４】
積層したコアシートは、ティース部及びバックヨーク部を絶縁樹脂の成形物で覆って嵌合することにより積層間を固着することを特徴とする請求項１又は請求項２に記載の積層コアの製造方法。
【請求項５】
絶縁樹脂で積層間を固着したティース部は、巻線される際には、受取治具の他方の羽形部を把持して、積層したコアシートを固定することを特徴とする請求項３又は請求項４に記載の積層コアの製造方法。
【請求項６】
積層したコアシートは、ティース部及びバックヨーク部を絶縁樹脂の成形物で覆った後、ティース部に巻線することにより積層間を固着することを特徴とする請求項１又は請求項２に記載の積層コアの製造方法。
【請求項７】
巻線の際には、積層したスクラップ部の他方の羽形部を把持して、積層したコアシートを固定することを特徴とする請求項６に記載の積層コアの製造方法。
【請求項８】
ティース部およびこのティース部を円弧状の中央部で中心側に突設し、反対側にプッシュバックにより蝶型のスクラップ部の一方の羽形部を嵌合したバックヨーク部とからなるコアシートを鋼板から打ち抜き、このコアシートを複数枚積層し、隣接する前記スクラップ部の表裏面をそれぞれ固着し、前記積層したコアシートの前記ティース部及び前記バックヨーク部の積層間を固着した後、前記積層したバックヨーク部から取り外される前記積層されたスクラップ部からなる積層コアの製造治具。
【請求項９】
積層したスクラップ部は、積層したバックヨーク部の内径方向に移動させた後に、前記積層したバックヨーク部から取り外されることを特徴とする請求項８に記載の積層コアの製造治具。
【発明の詳細な説明】
【技術分野】
【０００１】
本発明は、コアシートを鋼板から打抜き、積層して積層コアを製造する工程、積層コアに絶縁物を取り付ける工程、及び絶縁物を介して積層コアに巻線する工程等を含む積層コアの製造方法及びその製造治具に関するものであり、特に、製品の鉄損を小さくする積層コアの製造方法及びその製造治具に関するものである。
【背景技術】
【０００２】
積層コアは、鋼板からコアシートを打抜いて、その複数枚を積層状態で結束して製造され、モータコアやトランスコア等に用いられている。従来の積層コアの製造方法では、コアシートの積層間にはカシメ結合による固定手段が用いられるが、製品の鉄損を小さくする目的で製品部にカシメ部を残さない積層コアの製造方法も開示されている（例えば、特許文献１参照）。【０００３】
この製造方法では、先ず順送金型を用い、製品として利用するコア部と、打抜き後にプッシュバックによって押し戻されたスクラップ部とが一体となったコアシートを鋼板から打抜く。ここでいうプッシュバックとは、打抜き部を一旦半抜き状態または完全抜き状態で打抜き加工してほぼ分離状態にした後に、この打抜き穴内へ押し戻す加工方法である。【０００４】
続いて、打抜いたコアシートを金型のダイ内に順次積層させ、積層したコアシートを所定枚数毎に前記スクラップ部に設けたカシメ部で仮結束することにより積層コアを形成する。次に、順送プレス金型から取り出した積層コアのコア部を接着や溶接によって本結束した後、スクラップ部を除去し製品を得る。これによれば製品となるコアにカシメ部等の結合手段が残らないために鉄損を小さくでき、磁気性能の向上が実現できる。
【先行技術文献】
【特許文献】
【０００５】
【特許文献１】特開２００７−２９５６６８号公報（００１３段、図３）
【発明の概要】
【発明が解決しようとする課題】
【０００６】
しかしながら、従来の積層コアの製造方法では、スクラップ部は、コア部の外周面との接触面積が大きく、離脱時に接触抵抗が大きく容易に取り外せないという問題があった。
また、スクラップ部を離脱した後の積層コアを、積層コアの形状及び位置保持するためのフレームに圧入する場合、離脱の際にコア部外周面に生じた変形が原因で、フレームとの組立性を損ない、またステータの真円度が悪化するという問題があった。【０００７】
更に、積層コアの本結束手段に接着を用いる場合は、既に仮結束されているコアシート間へ接着材を注入すること、コアシート間からはみ出た余分な接着剤を除去することが困難であるし、接着剤注入により積層コアの占積率が低下するという問題があった。また、溶接を用いる場合は、製品となる箇所のコアシート間を溶融するために短絡を生じ、この箇所で鉄損を生じるという問題があった。【０００８】
本発明は、上記のような問題を解決するためになされたものであり、積層コアの磁気性能を低下させることなく、巻線、組立の作業性を向上できる積層コアの製造方法及びその製造治具を提供することを目的とする。
【課題を解決するための手段】
【０００９】
本発明に係る積層コアの製造方法は、ティース部およびこのティース部を円弧状の中央部で中心側に突設し、反対側にプッシュバックにより蝶型のスクラップ部の一方の羽形部を嵌合したバックヨーク部とからなるコアシートを鋼板から打ち抜く工程と、コアシートを複数枚積層し、隣接するスクラップ部の表裏面をそれぞれ固着する工程と、積層したコアシートのティース部及びバックヨーク部の積層間を固着した後、積層したスクラップ部を積層したバックヨーク部から取り外す工程とを含むものである。【００１０】
また、本発明に係る積層コアの製造治具は、ティース部およびこのティース部を円弧状の中央部で中心側に突設し、反対側にプッシュバックにより蝶型のスクラップ部の一方の羽形部を嵌合したバックヨーク部とからなるコアシートを鋼板から打ち抜き、コアシートを複数枚積層し、隣接するスクラップ部の表裏面をそれぞれ固着し、積層したコアシートのティース部及びバックヨーク部の積層間を固着した後、積層したバックヨーク部から取り外される積層されたスクラップ部からなるものである。
【発明の効果】
【００１１】
本発明によれば、積層コアを、積層方向断面が蝶型の製造治具により仮結束した状態で本結束し、本結束後製造治具を取り外すことにより、積層コアの外周面と接触せず、外周面を変形させることもないため、容易に固定治具を取り外すことができる。【００１２】
また、ステータを形成する際に、積層コアを形状及び位置保持するためにフレームに圧入する場合にも、外周面に変形がないことから、フレームとの組立性及びステータの真円度を向上できる。
【図面の簡単な説明】
【００１３】
【図１】本発明に係る積層コアの製造方法の実施の形態１におけるコアシートの構成を示す平面図である。
【図２】本発明に係る積層コアの製造方法の実施の形態１におけるコアシートからなる積層コアの構成を示す斜視図である。
【図３】本発明に係る積層コアの製造方法の実施の形態１における積層コアからなるステータの構成を示す断面図である。
【図４】本発明に係る積層コアの製造方法の実施の形態１におけるプレス打ち抜きによるコアシートの形成工程を示す平面図である。
【図５】本発明に係る積層コアの製造方法の実施の形態１における巻線装置での巻線工程の一例を示す模式図である。
【図６】本発明に係る積層コアの製造方法の実施の形態１における巻線工程後の積層コアの構成を示す断面図である。
【図７】本発明に係る積層コアの製造方法の実施の形態２における積層コアに絶縁樹脂の成形物を被覆する工程を示す斜視図である。
【図８】本発明に係る積層コアの製造方法の他の実施の形態におけるステータコアの構成を示す正面図である。
【図９】本発明に係る積層コアの製造方法の他の実施の形態におけるステータコアの構成を示す正面図である。
【図１０】本発明に係る積層コアの製造方法の他の実施の形態におけるステータコアの構成を示す正面図である。
【図１１】本発明に係る積層コアの製造方法の実施の形態３におけるコアシートの構成を示す平面図である。
【図１２】本発明に係る積層コアの製造方法の実施の形態３におけるコアシートからなる積層コアの構成を示す斜視図である。
【発明を実施するための形態】
【００１４】
以下、本発明に係る積層コアの製造方法の各種実施の形態について、図面に基づいて説明する。
実施の形態１．
図１は、本発明の実施の形態１での積層コアの製造方法を適用した場合に、分割型ステータの積層コアを形成するコアシートの一例を示した平面図である。図２は、図１におけるコアシートを積層して形成される積層コアの斜視図であり、図３は、複数の積層コアからなるステータの正面図である。
【００１５】
図１において、コアシート５０は、製品部となるコア部１１、プッシュバックによりコア部１１へ嵌め合い固定される製造治具としてのスクラップ部１２からなる。コア部１１は、バックヨーク部１１ａとティース部１１ｂとからなるＴ字状板を形成し、バックヨーク部１１ａ中央部から円環状内側の中心方向にティース部１１ｂが突設されている。
【００１６】
バックヨーク部１１ａには、ティース部１１ｂの反対側中央部にスクラップ部１２を嵌め合い固定される嵌合凹部１１ｃが設けられている。バックヨーク部１１ａの両端には、ステータを形成する際に隣接するコア部１１が互いに係合する係合凹部１１ｄ、係合凸部１１ｅが設けられている。
【００１７】
スクラップ部１２は、蝶型で設けられ、その一方の羽形部がバックヨーク部１１ａの嵌合凹部１１ｃと嵌め合い固定される嵌合凸部１２ａとなっている。他方は、巻線機等の製造装置の固定部（図示せず）に把持される把持用凸部１２ｂとなっている。
【００１８】
図１では、スクラップ部１２の嵌合凸部１２ａ及び把持用凸部１２ｂは、共にくさび形の形状で構成されているが、これに限るものではない。たとえば、それぞれが略円形や、略楕円等であってもよく、対称もしくは類似形状である必要もない。
【００１９】
また、把持用凸部１２ｂが矩形であってもよく、スクラップ部１２の蝶型形状は、嵌合凸部１２ａがコア部１１のバックヨーク部１１ａを嵌め合い固定し、把持用凸部１２ｂが製造装置の固定部に把持され得る、中央部１２ｃがくびれた形状であればよい。この形状により、スクラップ部１２とコア部１１の外周部との接触部を低減できる。また、製造装置の固定部に確実に固定できる。
【００２０】
スクラップ部１２の嵌合凸部１２ａ端部には、バックヨーク部１１ａの嵌合凹部１１ｃとの嵌合部の接触面積を低減するため、所定の位置・形状で離脱用凹部１２ｆを設ける。
嵌合凹部１１ｃ側の端部に離脱用凹部１１ｆを設けてもよい。図１では、嵌合部界面に穴形状で打ち抜くことにより、嵌合凸部１２ａ及び嵌合凹部１１ｃの両側それぞれ三箇所に離脱用凹部１２ｆ、１２ｇ、１２ｈと離脱用凹部１１ｆ、１１ｇ、１１ｈを設けた例を示している。
【００２１】
スクラップ部１２の表裏面には、それぞれ固定用凹部１２ｄと固定用凸部１２ｅが設けられている。コアシート５０は、積層時に、隣接するスクラップ部１２同士の対応する固定用凹部１２ｄと固定用凸部１２ｅがそれぞれカシメられることにより積層方向に固定される。
【００２２】
積層され、カシメられて固定されたスクラップ部１２は、積層されたコア部１１を積層状態で仮結束する固定治具を形成する。固定治具で仮結束されたコア部１１は、本結束され、積層コアが形成される。図２に、固定治具１２０により仮結束した状態で、ダイキャストモールディングにより絶縁樹脂１３で一体成形され、本結束された積層コア１１０を示す。
【００２３】
固定治具１２０は、把持用凸部１２０ｂ（積層した把持用凸部１２ｂ）をカシメにより積層方向にさえ拘束すれば、積層横方向は絶縁樹脂の成形工程及び巻線工程等の本結束時に把持用凸部１２０ｂを把持することにより固定でき、積層コア１１０（積層したコア部１１）を確実に仮結束できる。
【００２４】
固定治具１２０は、積層コア１１０が絶縁樹脂１３で一体成形され、巻線された後、積層方向（図２のＡ方向）にスライドさせて、バックヨーク部１１ａの嵌合凹部１１ｃから取り外される。固定治具１２０は、積層方向の軸に対して断面が蝶型の柱状であり、中央部１２０ｃがくびれていることから、積層コア１１０の外周面と接触せず、外周面を変形させることなく容易に取り外すことができる。
【００２５】
また、固定治具１２０は、嵌合凸部１２０ａ（積層した嵌合凸部１２ａ）端部の離脱用溝部１２０ｆ、１２０ｇ、１２０ｈ（積層した離脱用凹部１２ｆ、１２ｇ、１２ｈ）、及び積層コア１１０の嵌合凹部１１０ｃ（積層した嵌合凹部１１ｃ）端部の離脱用溝部１１０ｆ、１１０ｇ、１１０ｈ（積層した離脱用凹部１１ｆ、１１ｇ、１１ｈ）により、嵌合凸部１２０ａ端部と嵌合凹部１１０ｃ端部との接触面積を低減し、更に嵌合凸部１２０ａ端部及び嵌合凹部１１０ｃ端部を弾性変形させ、容易に取り外すことができる。
【００２６】
本結束された積層コア１１０は、固定治具１２０を取り外した後、複数個の積層コア１１０をバックヨーク部１１０ａ（積層したバックヨーク部１１ａ）が略円環状になるように連結して、円環状内側の中心方向にティース部１１０ｂ（積層したティース部１１ｂ）が突設することにより、図３に示すようなステータ２００を構成する。
【００２７】
次に、本実施の形態１における積層コア１１０の製造方法を説明する。図４は、鋼板からプレス金型を使っての打ち抜きにより、コアシート５０を形成する工程を示す。
【００２８】
図４に示すように、下向き矢印Ｂの方向の順で打ち抜き工程が進み、図４の斜線部は打ち抜かれた部分を表す。図４（ａ）は最初の工程で、図４（ｆ）は最後の工程を示し、図面左向き矢印Ｃの方向に示す図は、打ち抜き完了後のコアシート５０である。
【００２９】
まず最初に、図４（ａ）の工程では、電磁鋼板等の磁性材料からなる薄型の鋼板１４に、プレス加工での位置決めの基準となるパイロット穴１５が打ち抜かれる。鋼板１４は、０．２〜０．５ｍｍの板厚のものが用いられる。一つの工程が終了すると、鋼板１４は、パイロット穴１５間の所定寸法ずつ搬送され、次の工程に進む。
【００３０】
続いて、図４（ｂ）の工程では、鋼板１４に形成されたパイロット穴１５を基準に離脱用凹部１２ｆ、１２ｇ、１２ｈと離脱用凹部１１ｆ、１１ｇ、１１ｈを形成するための離脱用穴１６ｆ、１６ｇ、１６ｈが打ち抜かれる。
【００３１】
次いで、図４（ｃ）の工程では、スクラップ部１２の把持用凸部１２ｂとなる部分の外周とバックヨーク部１１ａの嵌合凹部１１ｃ周辺外周部分を切り出す領域１７が打ち抜かれる。
【００３２】
続いて、図４（ｄ）の工程では、スクラップ部１２の把持用凸部１２ｂ中央部の表裏面にそれぞれ、積層するコアシート５０同士をカシメにより固定するための固定用凹部１２ｄと固定用凸部１２ｅとがプレス加工により設けられる。
【００３３】
次いで、図４（ｅ）の工程では、スクラップ部１２の領域をプッシュバックすることにより、スクラップ部１２の嵌合凸部１２ａが打ち抜かれた後、嵌合凹部１１ｃに押し戻され嵌め合い固定される。
【００３４】
スクラップ部１２の嵌合凸部１２ａが形成されると同時に、離脱用穴１６ｆ、１６ｇ、１６ｈが分断され、離脱用凹部１２ｆ、１２ｇ、１２ｈと離脱用凹部１１ｆ、１１ｇ、１１ｈが形成される。
【００３５】
続いて、図４（ｆ）の工程で、コア部１１の外形が打ち抜かれ、スクラップ部１２の嵌合凸部１２ａが、バックヨーク部１１ａの嵌合凹部１１ｃに嵌め合い固定されたコア部１１からなるコアシート５０が切り出される（矢印Ｃの方向）。
【００３６】
同様に、図４（ａ）乃至図４（ｆ）の工程により、コアシート５０の切り出しとカシメによる固定を繰り返すことにより、所望の枚数のコアシート（５０−１、５０−２、・・、５０−ｎ）（ｎは整数）を積層し、それぞれ隣接するコアシートの固定用凹部１２ｄと固定用凸部１２ｅとが固定され、固定治具１２０により仮結束された積層コア１１０が得られる。
【００３７】
なお、図４（ｄ）の工程において、固定治具１２０により仮結束された積層コア１１０の一層目のコアシート５０−１と最後の層のコアシート５０−ｎでは、積層方向内側にのみ固定用凹部１２ｄと固定用凸部１２ｅ、又は固定用穴部と固定用凸部１２ｅを形成することにより、所望の枚数で仮結束された積層コア１１０を得られ、積層コア１１０同士の間は固定されないことから、積層コア１１０を連続して得ることができる。
【００３８】
次いで、固定治具１２０により仮結束状態の積層コア１１０を、把持用凸部１２０ｂを把持した状態で成形機の金型に固定する。積層コア１１０は、ダイキャストモールディングで一体成形され、図２に示されるように、ティース部１１０ｂ（積層したティース部１１ｂ）及びその周辺部を絶縁樹脂１３で被覆することにより本結束される。
【００３９】
図５に示すように、本結束された積層コア１１０は、嵌合されたままの状態の固定治具１２０の把持用凸部１２０ｂを巻線機３００の把持部３１で把持し、巻線機３００のノズル３２をティース部１１０ｂ周りに円軌道で回転させることにより、積層コア１１０の絶縁樹脂１３を被覆したティース部１１０ｂ（積層したティース部１１ｂ）に巻線１８が施される。図６に、巻線後の本結束された積層コア１１０の断面図を示す。
【００４０】
巻線後、固定治具１２０は、積層コア１１０の嵌合凹部１１０ｃから、積層方向（図２のＡ方向）にスライドさせて取り外される。固定治具１２０を取り外した積層コア１１０は、バックヨーク部１１０ａが略円環状になるように複数個を連結し、円環状内側の中心方向にティース部１１０ｂが突設することにより、図３に示すようなステータ２００が得られる。
【００４１】
以上のように、本実施の形態１では、積層コア１１０を積層方向断面が蝶型の固定治具１２０により仮結束した状態で本結束し、本結束後固定治具１２０を取り外すようにしたので、固定治具の嵌合部と把持部の間の中央部がくびれていることから、積層コアの外周面と接触せず、外周面を変形させることなく、容易に固定治具を取り外すことができる。
【００４２】
また、ステータを形成する際に、積層コアを形状及び位置保持するためにフレームに圧入する場合にも、外周面に変形がないことから、フレームとの組立性及びステータの真円度を向上できる。
【００４３】
また、積層方向断面が蝶型の固定治具１２０を用いることにより、製造装置での把持が容易となり、積層横方向においても積層コアを確実に拘束でき、固定できる。
【００４４】
更に、積層コアの本結束手段に溶接を用いず、かつカシメ部が無いステータを製造できるため、製品の鉄損を小さくすることができる。また、本結束手段に接着を用いた場合のような困難な作業は無く、積層コアの占積率を低下させることも無い。
【００４５】
実施の形態２．
実施の形態１の積層コアの製造方法においては、固定治具１２０により仮結束された積層コア１１０を絶縁樹脂１３で一体成形することで、本結束する場合について示した。実施の形態２では、積層コアに絶縁樹脂の成形物を被せ、巻線することで本結束する場合について示す。
【００４６】
図７は、本発明の実施の形態２における積層コアの製造方法での絶縁樹脂の成形物を被覆する工程を説明するための斜視図である。実施の形態２における積層コアの製造方法では、実施の形態１の図４（ａ）乃至図４（ｆ）の工程で得られた仮結束状態の積層コア１１０を、図５に示す巻線機３００の固定治具３１で把持用凸部１２０ｂを把持して固定する。
【００４７】
次いで、仮結束状態の積層コア１１０は、把持用凸部１２０ｂが把持された状態で、上下からティース部１１０ｂ（積層したティース部１１ｂ）及びその周辺部に絶縁樹脂の成形物１９、２０を被せられ、その上から巻線１８が施されることにより、本結束される。
絶縁樹脂の成形物１９、２０は積層コア１１０の積層横方向を拘束し、巻線１８は積層方向を拘束するとともに、横方向の結束もより強固にする。
【００４８】
なお、本実施の形態２では、絶縁樹脂の成形物１９、２０の被覆と巻線１８を施すことにより本結束としたが、上下から被せた絶縁樹脂の成形物１９と絶縁樹脂の成形物２０とが合わさる部分に嵌合部を設けて積層方向を拘束すれば、絶縁樹脂の成形物１９、２０の被覆のみで本結束できる。
【００４９】
以上のように、本実施の形態２では、仮結束状態の積層コア１１０に、把持用凸部１２０ｂが把持された状態で、予め形成しておいた絶縁樹脂の成形物１９、２０を被せて、本結束するようにしたので、絶縁樹脂の成形に積層コアを必要とせず、絶縁物の成形工程を並列化することができるため、設備が大型な成形機をインライン化せずにすみ、また工程作業時間の長い絶縁物成形工程の影響を受けずにステータ製造ラインを稼動できる。
【００５０】
なお、実施の形態１及び２では、分割型ステータの積層コアの製造方法について説明したが、これに限るものではない。例えば、連結型ステータ、関節型ステータ、及び一体型ステータの製造にも適用することができる。
【００５１】
図８乃至図１０は、それぞれ連結型ステータコア２０１、関節型ステータコア２０２、一体型ステータコア２０３の正面図を示す。いずれの積層コア１１０においても、所定の位置に積層方向断面が蝶型の固定治具１２０（積層されたスクラップ部１２）が設けられることにより、同様の効果を得ることができる。
【００５２】
実施の形態３．
実施の形態１の積層コアの製造方法においては、固定治具１２０を、本結束後、積層方向へのスライドのみで、バックヨーク部１１ａの嵌合凹部１１ｃから取り外す場合について示した。実施の形態３では、固定治具の取り外し時に必要な加工力を低減させた後、スライドさせることで取り外す場合について示す。
【００５３】
図１１は、本発明の実施の形態３におけるコアシートの一例を示した平面図である。図１２は、図１１に示すコアシートを実施の形態１と同様の方法で積層コア１１０を形成し、積層コア１１０を本結束して巻線された後に、固定治具１２０を取り外す過程の一部を示す斜視図（巻線は図示せず）である。
【００５４】
まず、図１１を用いて、本実施の形態３におけるコアシートの構成を示す。コアシート５１では、実施の形態１における離脱用穴１６ｆ、１６ｇ、１６ｈの代わりに、スクラップ部１２の嵌合凸部１２ａの端部１２ｉ全面と、バックヨーク部１１ａの嵌合凹部１１ｃとの間に、嵌合状態を解除するための離脱用穴２６を設けている。
【００５５】
その他の構成に関しては、実施の形態１と同様であり、相当部分には図１と同一符号を付して説明を省略する。
【００５６】
これによれば、コアシート５１においてのスクラップ部１２とバックヨーク部１１ａが嵌め合い固定の状態にある箇所は、嵌合面１２ｊと１１ｊ、嵌合面１２ｋと１１ｋであり、これらの嵌合部を介してスクラップ部１２の表裏面に設けられた固定用凹部１２ｄと固定用凸部１２ｅが、コアシート５０の積層時にカシメられることにより、コアシート５１は積層方向に固定される。
【００５７】
次に、図１１及び図１２を用いて、固定治具１２０（積層されたスクラップ部１２）を取り外す方法を示す。まず、積層コア１１０（積層されたコア部１１）に対して、固定治具１２０をバックヨーク部１１ａ側からティース部１１ｂ側へ向かう方向、つまり積層コア１１０の内径方向（図１１、図１２のＢ方向）へ一旦加圧する。
【００５８】
図１２は、前記加圧後、固定治具１２０が積層コア１１０に対して内径方向に相対移動した状態の図を示している。ここで示すように、固定治具１２０は、離脱用穴２６により内径方向に相対移動することができ、嵌合面１２０ｊと１１０ｊ、嵌合面１２０ｋと１１０ｋの間に隙間が生じて嵌合状態が解除できる。
【００５９】
続いて、固定治具１２０を、積層コア１１０に対して内径方向に相対移動させた後、固定治具１２０を積層コア１１０の積層方向（図１２のＡ方向）へスライドさせる。固定治具１２０は、殆ど力を要さずに積層コア１１０の積層方向へスライドさせることができ、積層コア１１０から固定治具１２０を容易に取り除くことができる。
【００６０】
また、図１１に示すように、スクラップ部１２が蝶型に設けられていることで、嵌合凸部１２ａの嵌合面１２ｊ及び嵌合面１２ｋが、バックヨーク部１１ａの嵌合面１１ｊ及び嵌合面１１ｋにより外径方向に固定され、固定治具１２０に、積層コア１１０に対してその外径方向（図１１、図１２のＢとは逆の方向）への力が作用しても、幾何学的な制約によって前記嵌合面の嵌合状態は維持できる。
【００６１】
これを利用すれば、積層コア１１０への絶縁物の取り付け工程や巻線工程等を含むステータの製造過程において、積層コア１１０と固定治具１２０を分解させること無く、積層コア１１０を装置や治具へ強固に固定することが可能である。
【００６２】
以上のように、本実施の形態３では、スクラップ部１２の嵌合凸部１２ａ端部とバックヨーク部１１ａの嵌合凹部１１ｃとの間に離脱用穴２６を設けるようにしたので、固定治具を内径方向に相対移動することができ、バックヨーク部との間に隙間が生じて、容易に嵌合状態が解除できる。
【００６３】
また、この隙間により、殆ど力を要さずに固定治具を積層コアの積層方向へスライドさせることができ、積層コアから固定治具を容易に取り除くことができる。
【００６４】
また、スクラップ部１２を蝶型に設けたことで、積層コアの外径方向への力が固定治具に作用しても、嵌合状態を維持できる。さらに、積層コアへの絶縁物の取り付け工程や巻線工程等を含むステータの製造過程において、積層コアと固定治具を分解させること無く、積層コアを装置や治具へ強固に固定することが可能である。
【００６５】
なお、本実施の形態３においても、分割型ステータの積層コアの製造方法について説明したが、これに限るものではない。例えば、連結型ステータ、関節型ステータ、及び一体型ステータの製造にも適用することができる。
【００６６】
図８乃至図１０に示すいずれの積層コア１１０においても、離脱用穴２６を備えた、積層方向断面が蝶型の固定治具１２０（積層されたスクラップ部１２）が所定の位置に設けられることにより、同様の効果を得ることができる。
【符号の説明】
【００６７】
１１ａ  バックヨーク部
１１ｂ  ティース部
１２  スクラップ部
１２ａ  嵌合凸部
１２ｂ  把持用凸部
１３  絶縁樹脂
１８  巻線
１９、２０  絶縁樹脂の成形物
１１０  積層コア
１１０ａ  バックヨーク部
１１０ｂ  ティース部
１２０  固定治具
１２０ａ  嵌合凸部
１２０ｂ  把持用凸部
５０、５１  コアシート
【図１】
2010082465.tif 000003
【図２】
2010082465.tif 000004
【図３】
2010082465.tif 000005
【図４】
2010082465.tif 000006
【図５】
2010082465.tif 000007
【図６】
2010082465.tif 000008
【図７】
2010082465.tif 000009
【図８】
2010082465.tif 000010
【図９】
2010082465.tif 000011
【図１０】
2010082465.tif 000012
【図１１】
2010082465.tif 000013
【図１２】
2010082465.tif 000014
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
ティース部およびこのティース部を円弧状の中央部で中心側に突設し、反対側にプッシュバックにより蝶型のスクラップ部の一方の羽形部を嵌合したバックヨーク部を備えたコアシートを鋼板から打ち抜く工程と、
このコアシートを複数枚積層し、隣接する前記スクラップ部の表裏面をそれぞれ固着する工程と、
前記積層したコアシートの前記ティース部及び前記バックヨーク部の積層間を固着した後、前記積層したスクラップ部を前記積層したバックヨーク部から取り外す工程とを含む積層コアの製造方法。
【請求項２】
積層したスクラップ部は、積層したバックヨーク部の内径方向に移動させた後に、前記積層したバックヨーク部から取り外されることを特徴とする請求項１に記載の積層コアの製造方法。
【請求項３】
積層したコアシートは、ティース部及びバックヨーク部を絶縁樹脂と一体成形することにより積層間を固着することを特徴とする請求項１又は請求項２に記載の積層コアの製造方法。
【請求項４】
積層したコアシートは、ティース部及びバックヨーク部を絶縁樹脂の成形物で覆って嵌合することにより積層間を固着することを特徴とする請求項１又は請求項２に記載の積層コアの製造方法。
【請求項５】
絶縁樹脂で積層間を固着したティース部は、巻線される際には、積層したスクラップ部の他方の羽形部を把持して、積層したコアシートを固定することを特徴とする請求項３又は請求項４に記載の積層コアの製造方法。
【請求項６】
積層したコアシートは、ティース部及びバックヨーク部を絶縁樹脂の成形物で覆った後、ティース部に巻線することにより積層間を固着することを特徴とする請求項１又は請求項２に記載の積層コアの製造方法。
【請求項７】
巻線の際には、積層したスクラップ部の他方の羽形部を把持して、積層したコアシートを固定することを特徴とする請求項６に記載の積層コアの製造方法。
【請求項８】
ティース部およびこのティース部を円弧状の中央部で中心側に突設し、反対側にプッシュバックにより蝶型のスクラップ部の一方の羽形部を嵌合したバックヨーク部とからなるコアシートを鋼板から打ち抜き、このコアシートを複数枚積層し、隣接する前記スクラップ部の表裏面をそれぞれ固着し、前記積層したコアシートの前記ティース部及び前記バックヨーク部の積層間を固着した後、前記積層したバックヨーク部から取り外される前記積層されたスクラップ部からなる積層コアの製造治具。
【請求項９】
積層したスクラップ部は、積層したバックヨーク部の内径方向に移動させた後に、前記積層したバックヨーク部から取り外されることを特徴とする請求項８に記載の積層コアの製造治具。
【国際調査報告】
2010082465.tif 000015
2010082465.tif 000016
2010082465.tif 000017
2010082465.tif 000018